(57)【要約】本発明は、単一の物理チャンネルを用いてマルチキャスト群の通信装置へ無線インタフェースを介してマルチキャスト信号を送信する送信ユニットにより用いられる送信電力を制御する方法に関する。効率的な電力制御を可能にするために、最も弱いマルチキャスト信号を少なくとも受信する通信装置が送信ユニットへ電力制御コマンドを送信することを提案する。さらに、最も品質の低いマルチキャスト信号を受信する通信装置の電力制御コマンドが調節に対して最も大きな影響を有するように、送信ユニットは、少なくとも１つの通信装置から受信した電力制御コマンドに基づいて、送信電力を調節することを提案する。本発明はまた、対応する送信ユニット、対応する通信装置、および対応する通信システムに関する。
2005537741.tif 000002
【特許請求の範囲】
【請求項１】
単一の物理チャンネルを用いてマルチキャスト群の少なくとも２つの通信装置へ無線インタフェースを介してマルチキャスト信号を送信する送信ユニットにより用いられる送信電力を制御する方法であって、最も品質の低い前記マルチキャスト信号を受信する前記少なくとも２つの通信装置のうちの少なくとも通信装置が、前記送信ユニットへ電力制御コマンドを送信し、これらの電力制御コマンドは、前記マルチキャスト信号を送信する前記送信ユニットによって用いられる送信電力を増加させるべきか減少させるべきかを示し、最も品質の低い前記マルチキャスト信号を受信する前記通信装置の前記電力制御コマンドが調節に対して少なくとも最も大きな影響を有するように、前記送信ユニットは、前記少なくとも２つの通信装置のうちの少なくとも１つから受信した電力制御コマンドに基づいて前記送信電力を調節する方法。
【請求項２】
前記少なくとも２つの通信装置はそれぞれ前記送信ユニットへ電力制御コマンドを送信し、前記通信装置のいずれかが前記送信電力の増加を要求することを示す電力制御コマンドを送信している場合、前記送信ユニットは、前記マルチキャスト信号を送信するために用いられる前記送信電力を増加させ、前記通信装置のすべてが前記送信電力の減少が可能であることを示す電力制御コマンドを送信している場合にのみ、前記送信ユニットは前記送信電力を減少させる請求項１に記載の方法。
【請求項３】
前記少なくとも２つの通信装置はそれぞれ前記送信ユニットへ品質表示を送信し、この品質表示は各通信装置で受信されたマルチキャスト信号の品質を反映し、前記送信ユニットは、受信マルチキャスト信号の最も低い品質を反映する品質表示を供給する通信装置に対して、電力制御コマンドをさらに送信するように要求し、受信マルチキャスト信号の最も低い品質を反映する前記品質表示を供給する前記通信装置は、前記要求を受けて前記送信ユニットに電力制御コマンドをさらに送信し、前記送信ユニットは、受信マルチキャスト信号の最も低い品質を反映する前記品質表示を供給する前記通信装置によって受信された電力制御コマンドにしたがって、前記マルチキャスト信号を送信するために用いられる前記送信電力を調節する請求項１に記載の方法。
【請求項４】
受信マルチキャスト信号の最も低い品質を示す品質表示を他の通信装置が送信していることを前記送信ユニットが検出した場合、前記送信ユニットは前記他の通信装置に対して電力制御コマンドを代わりに送信するように要求する請求項３に記載の方法。
【請求項５】
前記少なくとも２つの通信装置はそれぞれ前記送信ユニットへ電力制御コマンドおよび品質表示を送信し、この品質表示は各通信装置で受信されたマルチキャスト信号の品質を反映し、受信マルチキャスト信号の最も低い品質を反映する品質表示を供給する通信装置からの電力制御コマンドが最も大きな影響を得るように、前記送信ユニットは前記受信品質表示に基づいて前記受信電力制御コマンドに重み付けをし、前記送信ユニットは結果として生じた重み電力制御コマンドを合計し、前記送信ユニットは、前記重み付けされかつ合計された電力制御コマンドにしたがって、前記マルチキャスト信号を送信するために用いられる前記送信電力を調節する請求項１に記載の方法。
【請求項６】
電力制御コマンドは、現在の送信電力を増加させるべきか、減少させるべきか、または変化させないでおくべきかを示す請求項１ないし請求項５の何れかに記載の方法。
【請求項７】
請求項１ないし請求項６の何れかに記載の送信ユニット関連のステップを実行する手段を備える送信ユニット。
【請求項８】
請求項１ないし請求項６の何れかに記載の通信装置関連のステップを実行する手段を備える通信装置。
【請求項９】
請求項１ないし請求項６の何れかに記載の送信ユニット関連のステップを実行する手段を有する送信ユニットと、請求項１ないし請求項６の何れかに記載の通信装置関連のステップを実行する手段を有する少なくとも２つの通信装置とを具備してなる通信システム。
【発明の詳細な説明】
【技術分野】
【０００１】
本発明は、単一の物理チャンネルを用いてマルチキャスト群の少なくとも２つの通信装置へ無線インタフェースを介してマルチキャスト信号を送信する送信ユニットにより用いられる送信電力を制御する方法に関する。本発明はまた、このような送信ユニット、このような通信装置、および通信システムに関する。
【背景技術】
【０００２】
通信ネットワークのネットワークユニットにより無線インタフェースを介して受信通信装置へ送信されるダウンリンク信号の送信電力を制御することは、最新技術より周知である。このような電力制御によって、特にネットワークユニットと受信通信装置との間の変化するチャンネル条件を補正することが可能になる。一般的に、通信装置で送信信号を確実に受信するのに十分には高いが、同時に必要以上に高くない送信電力を用いることが目標とされている。閉ループ電力制御では、ネットワークユニットが通信装置へ信号を送信し、通信装置がネットワークユニットにフィードバックを供給する。したがって、ネットワークユニットはこのフィードバックに基づいて送信電力を調節することができる。
【０００３】
特にＣＤＭＡ［Code Division Multiple Access―符号分割多元接続―］無線システムの場合には、速い閉ループ電力制御がフェージングチャンネルに対応することが不可欠である。ダウンリンクにおいては、ダウンリンクチャンネルで信号を受信する通信装置が送信ネットワークユニットへタイムスロット毎に電力制御コマンドを送ることを確実にすることによって、このような速い閉ループ電力制御を達成することができる。例えばＵＭＴＳ［Universal Mobile Telecommunication Services―ユニバーサル移動通信サービス―］システムにおいては、これは２／３ミリ秒毎の電力制御コマンドの送信に相当する。
【０００４】
ダウンリンク送信の閉ループ電力制御については［非特許文献１］の仕様書に記載されている。  
この仕様書によれば、ダウンリンクチャンネルの送信電力はネットワークによって決定される。ダウンリンク送信電力制御手順では、ＤＰＣＣＨ［Dedicated Physical Control Channel―専用物理制御チャンネル―］およびその対応するＤＰＤＣＨ［Dedicated Physical Data Channel―専用物理データチャンネル―］の電力を同時に制御する。各通信装置は、ネットワーク送信電力を制御するためのＴＰＣ［Transmit Power Control―送信電力制御―］コマンドを発生させ、それらをアップリンクＤＰＣＣＨの専用ＴＰＣフィールドでネットワークへ送る。ＴＰＣコマンドを受信すると、ＵＴＲＡＮ［UMTS Terrestrial Radio Access Network―ＵＭＴＳ (ユニバーサル移動通信サービス) 地上無線アクセスネットワーク―］は各接続に対して適宜にそのダウンリンクＤＰＣＣＨ／ＤＰＤＣＨ電力を調節する。
【０００５】
例えば通信装置によってＴＰＣコマンドを決定することができ、それにより受信ダウンリンクＳＩＲ［Signal-to-Interference Ratio―信号対妨害比―］が所定のＳＩＲ目標に維持される。このために、通信装置が、電力制御される接続の受信ダウンリンクＤＰＣＣＨ／ＤＰＤＣＨ電力を予測し、受信干渉を予測し、これらの予測からＳＩＲを算出してもよい。そして、得られたＳＩＲ予測を通信装置が使用してＴＰＣコマンドを発生させることができる。ＳＩＲ予測が所定のＳＩＲ値よりも大きければ、送信電力の減少を要求するＴＰＣコマンド‘０’を送信してもよい。ＳＩＲ予測が所定のＳＩＲ値よりも小さければ、送信電力増加を要求するＴＰＣコマンド“１”を送信してもよい。
【０００６】
最新技術よりマルチキャスト送信も知られている。マルチキャスト送信とは、送信ユニットからマルチキャスト群に属する選択された受信ユニットの群へ同一の情報を送信することである。無線インタフェースを介する送信に基づく通信システムにおいては、通信ネットワークのネットワークユニットを形成する基地局とこの基地局を介して通信ネットワークにアクセスする複数の通信装置との間でこのようなマルチキャスト送信を実現することができる。
【０００７】
無線環境において、すべての通信装置に対して同一の物理チャンネルを用いるマルチキャスト群の通信装置に情報が同時に送信される場合には、マルチキャスト送信は最も効率的である。ＣＤＭＡの場合、マルチキャスト群のすべての通信装置に単一のダウンリンク物理チャンネルを用いると、符号拡散の点から、すべての通信装置にデータを伝達するためのリソースの絶対最小値が必要となる。
【０００８】
通常、マルチキャスト群の各通信装置でマルチキャスト送信中に同一のチャンネル条件とはならない。したがって、閉ループ電力制御の場合、各通信装置は異なる電力制御コマンドを発生させ、送信する。より具体的には、チャンネル条件の良い通信装置は送信電力の変更を要求せず、電力を減少させることができることを示すことさえある。同時に、同じマルチキャスト群の他の通信装置は、チャンネル条件が悪いために送信電力の増加を要求することもある。しかし、マルチキャスト送信のために単一の物理チャンネルが用いられる場合には、このチャンネル上の送信電力をすべての通信装置に共通して調節することしかできないことは明らかである。したがって、専用ダウンリンク送信に知られている電力制御では、マルチキャスト送信に適用された場合に、マルチキャスト群の異なる通信装置による電力制御コマンド間で争いが起こる場合がある。
【非特許文献１】技術仕様書3GPPTS 25.214V5.1.0(2002-06): “3rd Generation Partnership Project; Technical Specification Group Radio Access Network; Physical layer procedure (FDD)(Release 5)”
【発明の開示】
【０００９】
本発明の目的は、マルチキャスト群の少なくとも２つの通信装置へ単一の物理チャンネルで無線インタフェースを介してマルチキャスト送信を行う場合に効率的な電力制御を可能にすることである。
【００１０】
一方、このようなマルチキャスト信号を送信する送信ユニットにより用いられる送信電力を制御する方法が提案されている。送信ユニットを特に通信ネットワークのネットワークユニットとすることができるが、マルチキャスト信号を送信するのに適した他のどのようなユニットとすることもできる。この方法は、最も品質の低いマルチキャスト信号を受信する前記少なくとも２つの通信装置のうちの少なくとも１つの通信装置が、前記送信ユニットへ電力制御コマンドを送信することを含む。これらの電力制御コマンドは、マルチキャスト信号を送信する送信ユニットによって用いられる送信電力を増加させるべきか減少させるべきかを示す。
【００１１】
電力制御コマンドを発生させるためには、受信マルチキャスト信号の品質が十分に高いかを通信装置がまず決定することが有利である。それが要求されているよりも高い場合には、送信電力を減少させることができることを示す電力制御コマンドを発生させる。それが要求されているよりも低い場合には、送信電力を増加させるべきであることを示す電力制御コマンドを発生させる。
【００１２】
提案された方法において、最も品質の低いマルチキャスト信号を受信する通信装置の電力制御コマンドが調節に対して少なくとも最も大きな影響を有するように、送信ユニットは、前記少なくとも２つの通信装置のうちの少なくとも１つから受信した電力制御コマンドに基づいて送信電力をさらに調節する。
【００１３】
一方、それぞれ送信ユニットおよび通信装置に関連する提案された方法のステップを実現する手段を備える送信ユニットおよび通信装置が提案されている。
【００１４】
さらに、このような送信ユニットおよび少なくとも２つのこのような通信装置を備える通信システムが提案されている。
【００１５】
本発明は、既知の電力制御メカニズムを直接マルチキャスト送信に適用することはできないという考えから発生している。本発明はさらに、最も弱いマルチキャスト信号を受信する通信装置が満足できる品質の信号を受信する場合にのみマルチキャスト信号に用いられる送信電力は十分であることができるという考えから発生している。本発明によれば、この通信装置によるフィードバックは送信電力のどのような調節に対しても、限定はしないが、少なくとも最も大きな影響を有する。
【００１６】
本発明の利点として、チャンネル条件の最も悪いこのマルチキャスト群の各通信装置が移動中であっても十分な電力を有するマルチキャスト信号を受信することができるレベルに、特定のマルチキャスト群のマルチキャスト信号の送信電力を常に設定することができる。
【００１７】
本発明の好ましい実施の形態は従属請求項より明らかとなる。
【００１８】
本発明の第１の好ましい実施の形態において、マルチキャスト群のすべての通信装置は電力制御ループを作動させ、送信ユニットへ電力制御コマンドを送信する。送信ユニットは、送信電力を増加させるべきであることを示す少なくとも１つの電力制御コマンドを受信した時はいつでも、送信電力を増加させる。さらに、送信ユニットは、マルチキャスト群のすべての通信装置から送信電力を減少させてもよいことを示す電力制御コマンドを受信した時はいつでも、送信電力を減少させる。
【００１９】
このアプローチにおいて、最も品質の低いマルチキャスト信号を受信する通信装置は、他のどの通信装置よりも長く送信電力の増加を要求することは明らかである。既に単一の通信装置のみが増加を要求している場合には電力は増加されるので、最も品質の低いマルチキャスト信号を受信する通信装置は、送信電力の増加に対して最も大きな影響を有する。さらに、この通信装置は、送信電力の減少を最も提案しそうにないことは明らかである。通信装置のすべてが減少を要求する場合にのみ電力が減少されるので、最も品質の低いマルチキャスト信号を受信する通信装置は送信電力の減少に対しても最も大きな影響を有する。
【００２０】
本発明の第２の好ましい実施の形態において、送信ユニットは、マルチキャスト群の通信装置のうちの選択された１つに電力制御コマンドを供給するように要求する。他のすべての通信装置は、マルチキャストチャンネルに関する電力制御コマンドを送らない。したがって、マルチキャスト群の通信装置の１つがマルチキャスト電力制御マスタに選ばれる。送信ユニットが通信装置の１つをマスタ装置として選択することを可能にするためには、各通信装置が送信ユニットへある種の品質表示を供給し、その品質表示は各通信装置によって受信されたマルチキャスト信号の品質を反映する。そして、送信ユニットは、供給された品質表示がマルチキャスト信号の最も低い品質を現在反映している通信装置を選択する。この選択は各通信装置へ専用メッセージで信号伝達されることが好ましい。尚、初めにすべての通信装置が送信する電力制御コマンドにより品質表示も与えるようにしてもよい。その場合、各選択の後にのみ、単一の通信装置が電力制御コマンドを送信する。
【００２１】
この第２のアプローチの利点として、チャンネル条件の最も悪い通信装置のみが送信ユニットへ電力制御コマンドを送り、他の通信装置は単にマルチキャストデータを受信するが、これは、それらのチャンネル条件が電力制御コマンドを送った通信装置のチャンネル条件よりも良いためである。それにより、異なる通信装置によって異なるコマンドから発生する可能性のあるあいまいさが回避される。
【００２２】
単一の通信装置がマルチキャスト電力制御マスタの役割を引き受けるので、この機能の引き継ぎを可能としなければならない。それにより、チャンネル条件を変更することによっても、ダウンリンク送信電力を制御するのは常に、現在最も品質の低いマルチキャスト信号を受信している通信装置であることを確実にできる。
【００２３】
本発明の第３の好ましい実施の形態において、第１のアプローチと同様に、各通信装置は送信ユニットへ電力制御コマンドを送信する。さらに、第２のアプローチと同様に、各通信装置は送信ユニットへ品質表示も送信する。品質表示は各通信装置によって受信されたマルチキャスト信号の品質を反映する。すべての通信装置の電力制御コマンドは、これらの品質表示に基づく係数によって重み付けされる。重み付けされた電力制御コマンドは合計され、所定の値と比較される。この比較に基づいて送信電力を増加または減少させる。この場合も、電力制御コマンド自体によって品質表示を与えるようにしてもよい。この場合、通信装置は電力制御コマンドのみを送信し、送信ユニットはさらにこれらの電力制御コマンドを品質表示と見なす。
【００２４】
本発明によれば、チャンネル条件が最も悪い通信装置は、電力調節に対して少なくとも最も大きな影響を有さなければならない。これは、第３のアプローチにおいては、最も品質の低いマルチキャスト信号を受信する通信装置の電力制御コマンドに最も大きな重みを割り当てなければならないことを意味している。この場合もマルチキャスト電力制御マスタを構成する通信装置を、供給された品質表示に基づいて決定することができる。電力制御コマンドの重み付けは、マルチキャスト電力制御マスタの電力制御コマンドのみが考慮されように、即ち該当する電力制御コマンドの重み係数が例えば‘１’に設定され、他の通信装置の電力制御コマンドの重み係数が‘０’に設定されるようにすることができる。または、他の通信装置の電力制御コマンドは完全に無視されず、即ちマルチキャスト電力制御マスタの電力制御コマンドの重み係数は最も大きな値に設定されるが、他の重み係数の少なくとも１つも同様にゼロよりも大きな値に設定される。
【００２５】
提案された第３のアプローチでは、送信ユニットは、それがマルチキャスト電力制御マスタであることを通信装置に示す必要はない。これは、各通信装置によって供給された品質表示のみを必要とし、どの電力制御コマンドがマルチキャストチャンネルの電力制御にどれくらい貢献するかを信号伝達せずに決定する。マルチキャスト電力制御マスタの役割を通信装置間で動的に受け渡すことができるため、通信装置がこのことを認識していなくても、マルチキャスト電力制御マスタの機能のある種の暗黙の引き継ぎが行われる。
【００２６】
第２のアプローチと比較すると、第３のアプローチでは各マルチキャスト電力制御マスタへのさらなる信号伝達は必要とされない。余分な信号伝達は電力調節においてある程度の付加的な時間を必要とするため、この第３のアプローチには、特に速い電力調節が可能になるという利点がある。
【００２７】
第２および第３の好ましい実施の形態における品質表示は、信号品質パラメータに基づく信号値であるか、異なる品質パラメータの組み合わせに基づく信号値であるか、または複数の品質パラメータに基づく複数の値を含むことができる。各品質表示が異なる値を含む場合、第３の実施の好ましい形態においては、送信ユニットは、重み付けされた異なる品質値に基づいて電力制御コマンドの重み係数を決定してもよい。
【００２８】
尚、いずれかの提示された実施の形態において通信装置がどうしてもアップリンクデータを送信する限り、特に送信ユニットへ電力制御コマンドおよび／または品質表示を送信するためのさらなるＤＣＨ［Dedicated CHannel―専用チャンネル―］を作動する必要はない。その場合、確立されたアップリンクチャンネルで単に必要とされるフィードバック情報を送信してもよい。このような確立されたアップリンクチャンネルは、多くの状況、例えば２つよりも多くの通信装置が同一のセルによって扱われる電話会議通話に存在する。
【００２９】
従来の電力制御のコマンドは、送信電力の増加を要求する第１のコマンドおよび送信電力の減少を要求する第２のコマンドに限定されている。電力がそのままに維持されることが好ましい場合、通信装置は第１および第２のコマンドを交互に送信してもよい。いくつかのシステムでは、電力を明示的にそのままに維持することを必要とする新たなコマンドをさらに導入することが有用である場合もある。
【００３０】
用いられる電力制御コマンドを、上述の［非特許文献１］で指定されている既知のＴＰＣコマンドと同様にまたは同一にすることができる。この仕様書にあるように、電力制御コマンドおよび／または品質表示のためのアップリンクチャンネルに専用フィールドを設けることができる。
【００３１】
本発明を、特に、限定はしないが、ＣＤＭＡシステムに用いることができる。さらに本発明を、特に、限定はしないが、ＵＭＴＳに用いることができる。ＵＭＴＳの場合には、提案された送信ユニットの機能をＵＴＲＡＮのノードＢで完全に実現することができ、これはノードＢが電力制御コマンド解釈を受け持っているためである。
【００３２】
本発明による送信ユニットを例えばＵＴＲＡＮのノードＢのような基地局、基地局の一部、またはＵＴＲＡＮのような無線アクセスネットワーク全体とすることができる。通信装置を例えば携帯電話とすることができるが、無線インタフェースを介して通信ネットワークと通信できる他のどのような装置とすることもできる。ＵＭＴＳの場合、通信装置はユーザ装置と呼ばれる。
【００３３】
尚、本発明の提示された実施の形態を様々に変化させ補完することができる。
【発明を実施するための最良の形態】
【００３４】
添付された図面を参照して本発明を一例としてより詳細に説明する。
【００３５】
図１に示された方法は、移動通信ネットワークのＵＴＲＡＮのノードＢで実施される。ＵＭＴＳが可能なユーザ装置ＵＥはこのノードＢを介して移動通信ネットワークへアクセスすることができる。マルチキャスト群に登録されている各ＵＥは、それにより、各マルチキャスト群に対してノードＢが送信するマルチキャスト信号を受信することができる。図１に示された方法は、マルチキャスト群の各ＵＥが全送信時間中にこのマルチキャスト群に対してノードＢが送信するマルチキャスト信号を受信することができ、同時に送信電力が干渉を低減するために可能な限り低いことを確実にする電力制御ループの一部である。
【００３６】
ノードＢは、特定のマルチキャスト群のためのマルチキャスト信号をこのマルチキャスト群に属するいくつかのＵＥへ単一の物理チャンネルでエアインタフェースを介して送信する。用いられているマルチキャストチャンネル上で現在受信の弱いＵＥもマルチキャスト信号を確実に受信することができるようにするため、初めは、ノードＢにおいては送信電力が大きな値に設定される。弱い受信は、ノードＢへの各ＵＥの距離が比較的大きなことに起因する場合がある。
【００３７】
各ＵＥは送信されたマルチキャスト信号を受信し、ダウンリンクマルチキャスト接続の電力および受信した干渉を予測し、この予測に基づいてＳＩＲを算出する。そして、算出されたＳＩＲは所定のＳＩＲ値と比較される。算出されたＳＩＲ値が所定のＳＩＲ値よりも大きな場合、マルチキャスト信号の送信に用いられる電力が充分に高いと想定される。予測されたＳＩＲ値が所定のＳＩＲ値よりも小さな場合、マルチキャスト信号の送信に用いられる電力が充分に高くないと想定される。したがって、ＳＩＲの決定およびその次の比較を上記引用した［非特許文献１］の提案に対応させてもよい。次に、比較に基づいて、各ＵＥは電力制御コマンドを決定する。電力制御コマンド‘１’を選択して送信電力の増加が要求されていることを示し、電力制御コマンド‘−１’を選択して送信電力の減少が可能であることを示す。
【００３８】
さらに、各ＵＥは、各ＵＥでのマルチキャストチャンネルの現在の無線条件を示す品質表示を決定する。本例では品質表示は単に算出されたＳＩＲで構成される。代わりにまたは加えて、品質表示は、マルチキャストチャンネルの現在の受信品質を特徴付ける他の何らかの値、例えばマルチキャストチャンネルに対して各ＵＥで決定される現在のブロックエラー確率に基づくこともできる。
【００３９】
ＵＥは専用電力制御コマンドフィールドに決定した電力制御コマンドを、またノードＢへの確立された専用アップリンク接続の専用品質表示フィールドに決定した品質表示を挿入する。ＵＥの１つ以上に対して現在アップリンク接続が確立されていない場合、特にノードＢへ各電力制御コマンドおよび各品質表示を送信するために各ＤＣＨが作成される。
【００４０】
図１に示されているように、第２にステップにおいて、ノードＢはマルチキャスト群のすべてのＵＥから供給された電力制御（ＰＣ）コマンドおよび品質表示を受信する。
【００４１】
品質表示を評価することによって、ノードＢは最も低いＳＩＲを報告する１つのＵＥまたは複数のＵＥを決定する。この１つのＵＥまたは複数のＵＥの電力制御コマンドに、 ‘１’の重み係数を割り当てる。他のすべてのＵＥの電力制御コマンドに、‘０’の重み係数を割り当てる。
【００４２】
次に、ノードＢは割り当てられた重み係数で受信した電力制御コマンドに重み付けをし、重み付けされた電力制御コマンドを合計し、これらのステップも図１に示されている。通常、単一のＵＥのみが最も低いＳＩＲを報告するため、その結果の合計は通常、このＵＥによって供給された‘１’または‘−１’の電力制御コマンドに一致する。
【００４３】
他のアプローチにおいて、特に品質表示に異なる値が含まれている場合、ＵＥのすべてまたはいくつかにゼロよりも大きな重み係数を割り当てることができる。しかしこの場合にも、最も高い重み係数を受信することによって、マルチキャストチャンネルで受信した信号の最も低い全体的な品質を報告するＵＥの電力制御コマンドが、合計された電力制御コマンドにおいて最も大きな影響を有する。このようにして、どのような場合においてもこのＵＥはマルチキャスト電力制御マスタを構成する。  
次のステップにおいて、ノードＢは、重み付けされかつ合計された電力制御コマンドがゼロを下回っているかを決定する。
【００４４】
重み付けされかつ合計された電力制御コマンドがゼロを下回っている場合、マルチキャスト信号の送信に用いられる現在の送信電力がマルチキャスト群のＵＥのすべてにとって少なくとも十分に高いと想定することができる。したがって、図１のさらなるステップにおいて送信電力が減少される。
【００４５】
重み付けされかつ合計された電力制御コマンドがゼロに等しいかそれよりも大きな場合、マルチキャスト信号の送信に用いられる現在の送信電力が少なくともマルチキャスト群のＵＥの１つにとって十分に高いと想定することができる。したがって、図１のさらなるステップにおいて送信電力が増加される。
【００４６】
ノードＢは送信電力を調節してマルチキャスト信号の送信を継続し、マルチキャスト送信が完了するまで上述の閉ループ電力制御を継続する。
【００４７】
尚、上述の本発明の実施の形態は、可能性のある様々な実施の形態の一つに過ぎない。
【図面の簡単な説明】
【００４８】
【図１】唯一の図は、本発明の方法の好ましい実施の形態を部分的に示すフローチャートである。
【図１】
2005537741.tif 000003
【国際調査報告】
2005537741.tif 000004
2005537741.tif 000005
2005537741.tif 000006